(57)【特許請求の範囲】
【請求項１】
操作を受け付ける操作受付手段と、
表示部を制御する表示制御手段と、を備え、
前記表示制御手段は、前記操作受付手段がジョブに対応する指示を受け付けない所定のタイミングにおいて、少なくとも当該画像形成装置が取得している環境情報を表示させ、
前記環境情報は、環境に対する取り組みに関するラベルまたは／およびマークを示し、
前記表示部は、前記操作受付手段が操作を受け付ける操作部に対して開閉自在に設けられており、
前記環境情報を表示する指示を入力するための操作キーが、操作部に対して開閉自在に支持された前記表示部のヒンジ側の辺を除く外周部に設けられていることを特徴とする画像形成装置。
【請求項２】
操作を受け付ける操作受付手段と、
表示部を制御する表示制御手段と、を備え、
前記表示制御手段は、前記操作受付手段がジョブに対応する指示を受け付けない所定のタイミングにおいて、少なくとも当該画像形成装置が取得している環境に対する取り組みに関する環境情報を表示させ、
前記表示部は、前記操作受付手段が操作を受け付ける操作部に対して開閉自在に設けられており、
前記環境情報を表示する指示を入力するための操作キーが、操作部に対して開閉自在に支持された前記表示部のヒンジ側の辺を除く外周部に設けられていることを特徴とする、画像形成装置。
【請求項３】
電源のＯＮまたはＯＦＦを検出する電源ＯＮ／ＯＦＦ検出手段をさらに備え、
前記表示制御手段は、前記電源ＯＮ／ＯＦＦ検出手段により電源のＯＮが検出された後のウォーミングアップ中に少なくとも前記環境情報を表示させる請求項１または２に記載の画像形成装置。
【請求項４】
前記表示制御手段は、前記所定のタイミングにおいて、前記所定のタイミングに対応するメッセージとともに前記環境情報を表示させる請求項１〜３のいずれか１項に記載の画像形成装置。
【請求項５】
前記表示制御手段は、前記所定のタイミングにおいて、前記所定のタイミングに対応するメッセージと交互に前記環境情報を表示させる請求項１〜４のいずれか１項に記載の画像形成装置。
【請求項６】
前記環境情報は、環境に対する取り組みに関するラベルまたは／およびマークであり、
前記表示制御手段は、環境の取り組みに関する複数のラベルまたは／およびマークの画像をサムネイルで表示させる請求項１〜５のいずれか１項に記載の画像形成装置。
【請求項７】
前記環境情報は、環境に対する取り組みに関するラベルおよび／またはマークの名称であり、
前記表示制御手段は、環境に対する取り組みに関する複数のラベルおよび／またはマークの名称をリストで表示させる請求項１〜５のいずれか１項に記載の画像形成装置。
【請求項８】
請求項１〜７のいずれか１項に記載の画像形成装置を動作させるためのプログラムであって、コンピュータを上記の各手段として機能させるためのプログラム。
【請求項９】
請求項８に記載されたプログラムを記憶したコンピュータ読み取り可能な記録媒体。
【発明の詳細な説明】
【技術分野】
【０００１】
本発明は、画像形成装置、プログラムおよび記録媒体に関する。
【背景技術】
【０００２】
近年、低炭素社会づくりの一環として、商品およびサービスのライフサイクル全体（原料調達から廃棄・リサイクルまで）で排出される温室効果ガスを二酸化炭素の量に換算し、表示するカーボンフットプリント制度が注目されている。画像形成装置においても、原料の調達の段階、生産の段階、流通の段階、使用・維持の段階、廃棄・リサイクルの段階において多くの温室効果ガスが排出される。このため、画像形成装置においても、温室効果ガスの排出を抑えた取り組みが行われている。
【０００３】
また、温室効果ガスの排出を抑えた製品である場合、そのことを証明する情報（以下、環境情報）として、環境に配慮して製造された製品であることを示すラベルを製品に貼り付ける取り組みが行われている。
【０００４】
環境情報としては、例えば、グリーン購入法に適合していることを示す情報や、環境に対する様々な影響をライフサイクル全体に亘って考慮して環境の保全に資する商品であることを示す情報、グリーン購入ネットワークの購入ガイドラインに基づく、データベースに登録のある製品であることを示す情報など、多数ある。詳細については、後記する本発明の実施の形態の説明において述べる。
【０００５】
また、特許文献１には、画像データであるサービスマニュアルを操作パネルに表示する画像形成装置が記載されている。
【先行技術文献】
【特許文献】
【０００６】
【特許文献１】特開２０１０−３４６３６号公報（２０１０年２月１２日公開）
【発明の概要】
【発明が解決しようとする課題】
【０００７】
ところで、上記したように、環境情報は多数の種類があり、これからも増え続けることは容易に想定される。そして、環境に配慮した製品であることをアピールするためには、より多くの種類の環境情報のラベルを取得して、製品に貼り付けることが望ましい。
【０００８】
しかしながら、ラベルを製品に貼り付ける場合、年数の経過によりラベルが剥がれてしまうといった問題がある。また、ラベルは製品リサイクルの妨げになるため、リサイクル時にはラベルを剥がす必要がある。複数のラベルを剥がす作業は、リサイクル性を損なわせる。つまり、リサイクルの観点から言えば、ラベルは貼り付けられていないほうが好ましい。
【０００９】
本発明は、上記課題を解決するためになされたものであり、この発明の目的は、画像形成装置が取得した環境情報を、リサイクル性を損なうことなくユーザに提示することが可能な画像形成装置を提供することである。
【課題を解決するための手段】
【００１０】
本願出願人は、画像形成装置が取得した環境情報を、リサイクル性を損なうことなくユーザに提示する方法として、環境情報のラベルやマークを画像データとして記憶させ、ラベルやマークの画像（以下、マーク・ラベル画像）を画像形成装置が備える表示装置に表示させることを考えた。
【００１１】
しかしながら、画像形成装置が備える表示部には、画像形成装置に実施させる処理に関して、各種の設定を行うための設定画面等を表示させる必要があり、かつ、画面のサイズも限られている。
【００１２】
そのため、マーク・ラベル画像を表示させようとしても、設定画面等と一緒に表示するには、表示領域が確保し辛く、確保できたとしても非常に小さい面積となり、目立たず、アピール性に欠ける。しかも、設定画面等と一緒に表示したのでは、ユーザは、設定画面を注視するため、表示されているマーク・ラベル画像に気が付かないといったことも考えられる。しかしながら、目立たせるために、マーク・ラベル画像の表示領域を大きく確保すると、設定画面の表示領域が小さくなり、設定入力がし辛くなり、本来の機能を阻害してしまう。
【００１３】
そこで、本発明の画像形成装置は、操作を受け付ける操作受付手段と、表示部を制御する表示制御手段と、を備え、表示制御手段は、操作受付手段がジョブに対応する指示を受け付けない所定のタイミングにおいて、少なくとも当該画像形成装置が取得している環境情報を表示させることを特徴とする。
【００１４】
上記の構成によれば、ジョブに対応する指示が受け付けられない所定のタイミングにおいて、少なくとも当該画像形成装置が取得している環境情報が表示される。ここで、ジョブに対応する指示が受け付けられない所定のタイミングとは、例えば、画像形成装置の電源がＯＮ後のウォーミングアップ中や、省電力モードから通常モードへの復帰動作中である。ウォーミングアップ中や復帰動作中、従来の画像形成装置においては、「ウォーミングアップ中です。」や「しばらくお待ち下さい。」のメッセージが表示され、指示入力は受け入れられないようになっているものがある。このような、指示を入力できず、画像形成装置の近傍で、ウォーミングアップ或いは復帰動作の完了を待っているユーザの空き時間に環境情報を表示することで、ユーザに効果的に本画像形成装置が環境に配慮されて製造されていることをアピールすることができる。
【００１５】
そして、環境情報が表示部に表示されるため、環境情報のラベルが画像形成装置から剥がれたとしても、サービスマンはラベルを入手して貼り直す必要がなく、さらには、環境情報のラベルを貼る必要性もなくなり、リサイクル性を向上できる。
【００１６】
これにより、リサイクル性を損なうことなくユーザに提示することが可能な画像形成装置を提供することができる。
【００１７】
また、本発明の画像形成装置において、さらに、電源のＯＮまたはＯＦＦを検出する電源ＯＮ／ＯＦＦ検出手段をさらに備え、表示制御手段は、電源ＯＮ／ＯＦＦ検出手段により電源のＯＮが検出された後のウォーミングアップ中に少なくとも環境情報を表示させる構成とすることもできる。
【００１８】
また、本発明の画像形成装置において、さらに、通常モードおよび通常モードよりも消費電力が少ない省電力モードのいずれかのモードに切換え可能であり、表示制御手段は、省電力モードからの復帰動作中に少なくとも環境情報を表示させる構成とすることもできる。
【００１９】
上記の構成によれば、電源のＯＮが検出された後のウォーミングアップ中、あるいは省電力モードからの復帰動作中に環境情報を表示できる画像形成装置を容易に実現することができる。
【００２０】
また、本発明の画像形成装置において、さらに、表示制御手段は、初期画面を表示し、初期画面は、環境情報を表示する指示を入力するためのアイコンを含み、表示制御手段は、操作受付手段により環境情報を表示する指示の入力が受け付けられることに応じて、少なくとも環境情報を表示させる構成とすることもできる。
【００２１】
上記の構成によれば、ユーザが初期画面に従って環境情報を表示する指示を入力すれば、環境情報が表示されるので、ユーザは所望のタイミングで環境情報を確認することができる。
【００２２】
また、本発明の画像形成装置において、さらに、表示制御手段は、所定のタイミングにおいて、所定のタイミングに対応するメッセージとともに環境情報を表示させる構成とすることもできる。
【００２３】
また、本発明の画像形成装置において、さらに、表示制御手段は、所定のタイミングにおいて、所定のタイミングに対応するメッセージと交互に環境情報を表示させる構成とすることもできる。
【００２４】
ウォーミングアップ中の復帰動作中にメッセージが全く表示されず、環境情報のみが表示されると、不慣れなユーザに不安を与える恐れがある。これに対し、上記の構成によれば、環境情報を、所定のタイミングに対応するメッセージと共に、或いはメッセージと交互に表示することができるので、不慣れなユーザに対しても、画像形成装置の状態をメッセージにて的確に伝えながら、環境情報も表示してアピールすることができる。
【００２５】
また、本発明の画像形成装置において、さらに、環境情報は、環境に対する取組みに関するラベルまたは／およびマークであり、表示制御手段は、環境の取組みに関する複数のラベルまたは／およびマークの画像をサムネイルで表示させる構成とすることもできる。
【００２６】
また、本発明の画像形成装置において、さらに、環境情報は、環境に対する取組みに関するラベルおよび／またはマークの名称であり、表示制御手段は、環境に対する取組みに関する複数のラベルおよび／またはマークの名称をリストで表示させる。
【００２７】
上記の構成によれば、環境情報がサムネイルまたはリストで表示されるので、ユーザにとって、取得されている環境情報を把握することが容易になる。
【００２８】
また、本発明の画像形成装置において、さらに、表示部は、操作受付手段が操作を受け付ける操作部に対して開閉自在に設けられており、環境情報を表示する指示を入力するための操作キーが、操作部に対して開閉自在に支持された表示部のヒンジ側の辺を除く外周部に設けられている構成とすることもできる。
【００２９】
上記の構成によれば、表示部は、操作受付手段が操作を受け付ける操作部に対して開閉自在に設けられているので、表示部・操作部が占めるサイズを小さくすることができる。ところで、このような、占有サイズの小さい表示分・操作部において、環境情報を表示する指示を入力するための操作キー（新たなキー）の配置スペースを確保することは難しいが、上記構成のように、表示部のヒンジ側の辺を除く外周部に設けることで、容易に環境情報を表示する操作キーを配置することができる。
【００３０】
なお、上記画像形成装置はコンピュータによって実現してもよく、この場合には、コンピュータを上記各部として動作させることにより、上記画像形成装置をコンピュータにて実現させるプログラム、およびそれを記録したコンピュータ読み取り可能な記録媒体も、本発明の範疇に含まれる。
【発明の効果】
【００３１】
本発明は、ユーザによる使用を妨げないタイミングに環境情報をユーザに示すことがきるとともに、画像形成装置が取得した環境情報を、リサイクル性を損なうことなくユーザに提示することができるという効果を奏する。
【図面の簡単な説明】
【００３２】
【図１】本発明の実施の形態における表示処理システムの全体概要の一例を示す図である。
【図２】ＭＦＰの概観を示す斜視図である。
【図３】ＭＦＰの構成の一例を示すブロック図である。
【図４】操作パネルの一例を示す図である。
【図５】ＭＦＰが備えるＣＰＵの機能の概要をＨＤＤに記憶されるデータとともに示す機能ブロック図である。
【図６】環境情報１４１が記憶されているテーブルの内容を示す。
【図７】ウォーミングアップ画面の一例を示す第１の図である。
【図８】ウォーミングアップ画面の一例を示す第２の図である。
【図９】初期画面の一例を示す図である。
【図１０】表示態様選択画面の一例を示す図である。
【図１１】画像表示処理の流れの一例を示すフローチャートである。
【図１２】表示態様選択処理の流れの一例を示すフローチャートである。
【図１３】変形例における操作パネルの一例を示す図である。
【発明を実施するための形態】
【００３３】
以下、本発明の実施の形態について図面を参照して説明する。以下の説明では同一の部品には同一の符号を付してある。それらの名称および機能も同じである。したがって、それらについての詳細な説明は繰り返さない。
【００３４】
図１は、本発明の実施の形態における表示処理システムの全体概要の一例を示す図である。図１に示されるように、表示処理システム１は、ネットワーク７にそれぞれ接続された複合機（以下、「ＭＦＰ」という）１００と、ＰＣ２００とを含む。ＭＦＰ１００は、画像形成装置の一例であり、スキャナ機能、コピー機能、ファクシミリ機能、プリンタ機能等の複数の機能を備える。
【００３５】
ネットワーク７は、ローカルエリアネットワーク（ＬＡＮ）であり、接続形態は有線または無線を問わない。また、ネットワーク７は、ＬＡＮに限らず、ワイドエリアネットワーク（ＷＡＮ）、公衆交換電話網（ＰＳＴＮ）等であってもよい。ネットワーク７は、ゲートウェイを介してインターネット３に接続されており、ＭＦＰ１００およびＰＣ２００それぞれは、インターネット３に接続されたサーバ５と通信が可能である。
【００３６】
ＰＣ２００は、一般的なパーソナルコンピュータであり、ＭＦＰ１００と通信するためのアプリケーションプログラムがインストールされている。
【００３７】
ＭＦＰ１００は、ブラウジングプログラムを実行可能であり、ブラウジング機能を有する。例えば、ＭＦＰ１００は、ユーザによりサーバ５が記憶するウェブページのＵＲＬが指定されると、サーバ５にＵＲＬで特定されるウェブページの送信を要求し、サーバ５が送信するウェブページを受信し、表示する。
【００３８】
本実施の形態におけるサーバ５は、ＭＦＰ１００をリースしたリース会社、ＭＦＰ１００を販売した販売店またはＭＦＰ１００のメーカーが設置するサーバであり、画像形成装置に関する各種の情報を記憶している。各種の情報は、ＭＦＰ１００に関する環境情報を少なくとも含む。
【００３９】
なお、サーバ５は、クラウドプロバイダー（クラウドコンピューティングサービスを提供する専用事業者）が設置するものでもよい。
【００４０】
環境情報は、環境に配慮して製造された製品であることを示す情報であり、上述したように多くの種類があり、これからも増えることが想定される。
【００４１】
具体的には、以下のような種類がある。
【００４２】
グリーン購入法に適合していることを示す情報
環境に対する様々な影響をライフサイクル全体に亘って考慮して環境の保全に資する商品であることを示す情報
グリーン購入ネットワークの購入ガイドラインに基づく、データベースに登録のある製品であることを示す情報
パーソナルコンピュータ等のオフィス機器の待機時における消費電力が所定の基準値に達していることを示す情報
省エネ法に基づく省エネ基準をどの程度達成しているかを示す情報
パソコンおよびディスプレイの設計・製造からリユース・リサイクルに至るまでの環境に対する負荷を包括的に考慮していることを示す情報
間伐材を用いた製品であることを示す情報
紙・紙製品等の古紙の配合率を示す情報
古紙を原料とした紙製品の利用の拡大と自然環境の保護を示す情報
非木材パルプを使用した紙製品であることを示す情報
用紙に非木材パルプが使用されていることを示す情報
ペットボトルをリサイクルした商品であることを示す情報
製品に使用されている木質材料が、適切に管理された森林から合法的に狩り出されたものであることを示す情報
人間活動が地球温暖化に及ぼす影響を二酸化炭素の排出量を数値化して示す情報
他の製品と同等の機能を有し、あらゆる側面の環境保護が考慮され、環境にやさしく、使用および安全性に問題ないことを示す情報
なお、環境情報としては、経済産業省、環境省、環境保護団体等が環境に配慮した製品であることを認定する情報であれば、これらに限定されるものではない。
【００４３】
ＭＦＰ１００は、複数の種類がある環境情報のうち、ＭＦＰ１００に関する環境情報のマークやラベルの画像であるマーク・ラベル画像と、環境情報名称（ＭＦＰ１００に関する環境情報のマークやラベルの種類の名称、文字列）を記憶する、或いは記憶している。
【００４４】
図２は、ＭＦＰの概観を示す斜視図である。図２に示されるように、ＭＦＰ１００は、自動原稿搬送部（ＡＤＦ）１０と、原稿読取部２０と、画像形成部３０と、給紙部４０とを含む。
【００４５】
ＡＤＦ１０は、原稿トレイ１１にセットされた複数枚の原稿を１枚ずつ原稿読取部２０の所定の原稿読取位置まで搬送し、原稿読取部２０により読み取られた原稿を原稿排紙トレイ上に排出する。
【００４６】
原稿読取部２０は、原稿読取位置まで搬送されてきた原稿に光を照射する光源と、原稿で反射した光を受光する光電変換素子とを含み、原稿のサイズに応じた原稿画像を走査する。光電変換素子は、受光した光を電気信号である画像データに変換して、図示しない画像処理部に出力する。
【００４７】
画像処理部は、原稿読取部２０から入力される画像データにシェーディング補正などの各種のデータ処理を施した後、画像形成部３０に出力する。給紙部４０は、給紙トレイあるいは大容量カセット４１に収納された用紙を画像形成部３０に搬送する。
【００４８】
画像形成部３０は、データ処理後の画像データに基づいて、給紙部４０により搬送される用紙に画像を形成する。そして、画像形成部３０は、画像を形成した後の用紙を排紙トレイ９０上に、あるいは後処理装置９８を通して排出する。
【００４９】
図３は、ＭＦＰの構成の一例を示すブロック図である。図３に示されるように、ＭＦＰ１００は、ＣＰＵ１１１と、ＣＰＵ１１１が実行するプログラム等を記憶するためのＲＯＭ７１と、ＣＰＵ１１１の作業領域として使用されるＲＡＭ７３と、大容量記憶装置としてのハードディスクドライブ（ＨＤＤ）７５とを含む。ＣＰＵ１１１は、ＲＯＭ７１に記憶されたプログラムを実行し、各種の処理を実行する。
【００５０】
なお、ＣＰＵ１１１が実行するプログラム等を記憶するための記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いてもよい。
【００５１】
ＣＰＵ１１１は、ＡＤＦ１０、原稿読取部２０、画像形成部３０、給紙部４０、操作パネル５０、電源スイッチ６０、ネットワークＩ／Ｆ７７、第１通信制御部７９、第２通信制御部７８、およびファクシミリ部８０とそれぞれ接続され、ＭＦＰ１００の全体を制御する。
【００５２】
電源スイッチ６０は、ＭＦＰ１００が備える電源スイッチであり、ユーザにより操作される。
【００５３】
ネットワークＩ／Ｆ７７は、ＭＦＰ１００をネットワーク７に接続するためのインターフェースである。ＣＰＵ１１１は、ネットワーク７を介して、ネットワーク７に接続された外部の機器、ここでは、ＰＣ２００と通信が可能である（図１参照）。
【００５４】
第１通信制御部７９は、通信プロトコルで通信するためのインターフェースであるＬＡＮ端子７２と、シリアル通信のための通信Ｉ／Ｆ端子７４とを有する。第１通信制御部７９は、ＣＰＵ１１１からの指示に従って、ＬＡＮ端子７２または通信Ｉ／Ｆ８３に接続された外部の機器との間でデータを送受信する。
【００５５】
ＬＡＮ端子７２に、インターネット３に接続するためのケーブルが接続される場合、第１通信制御部７９は、ＬＡＮ端子７２を介して接続されたサーバ５と通信する。
【００５６】
ＣＰＵ１１１は、第１通信制御部７９を制御して、インターネット３に接続されたサーバ５からＭＦＰ１００で特定される環境情報をダウンロードし、ＨＤＤ７５に記憶することにより、環境情報を更新することが可能である。
【００５７】
通信Ｉ／Ｆ端子７４には、フラッシュメモリを内蔵したメモリカードが接続可能である。ＣＰＵ１１１は、第１通信制御部７９を制御して、メモリカードからＣＰＵ１１１が実行するためのプログラムを読み出し、ＨＤＤ７５に記憶することにより、プログラムを更新することが可能である。プログラムは、後述する画像表示プログラムを含む。
【００５８】
なお、ＣＰＵ１１１が実行するプログラムを記憶する記憶媒体としては、メモリカードに限られず、フレキシブルディスク、光ディスク、ＩＣカード、光カード、マスクＲＯＭ、ＥＥＰＲＯＭなどの半導体メモリ等の媒体であってもよい。
【００５９】
第２通信制御部７８は、ＣＰＵ１１１をＰＳＴＮに接続するためのモデムである。ＭＦＰ１００には、ＰＳＴＮにおける電話番号が予め割り当てられており、ＰＳＴＮに接続されたファクシミリ装置からＭＦＰ１００に割り当てられた電話番号に発呼があると通話を確立し、ファクシミリ部８０に通信させる。
【００６０】
ファクシミリ部８０は、ＰＳＴＮに接続され、ＰＳＴＮにファクシミリデータを送信する、またはＰＳＴＮからファクシミリデータを受信する。
【００６１】
操作パネル５０は、表示部５１と、操作部５３とを含む。表示部５１は、液晶表示装置（ＬＣＤ）、有機ＥＬＤ（Ｅｌｅｃｔｏｒｏ  Ｌｕｍｉｎｅｓｃｅｎｃｅ  Ｄｉｓｐｌａｙ）、電気泳動を利用した電子ペーパー等のディスプレイ、プラズマディスプレイ(ＰＤＰ)、プラズマチューブアレイディスプレイ（ＰＴＡＤ）、電子放出素子を用いたディスプレイ（ＦＥＤ、ＳＥＤ）等の表示装置であり、ユーザに対する設定画面等の指示メニューや取得した画像データに関する情報、環境情報を含む画面を表示する。
【００６２】
操作部５３は、複数のキーを備え、キーに対応するユーザの操作による各種の指示、文字、数字などのデータの入力を受け付ける。操作部５３が備える複数のキーは、スイッチを備えたハードキーである。なお、操作部５３は、キーの一部としてタッチパネルを含んでいても、あるいはタッチパネルそのもので構成されていてもよい。操作部５３がタッチパネルを含む場合、あるいはタッチパネルから構成されている場合、タッチパネルは、表示部５１上に設けられる。本実施形態の操作部５３は、タッチパネルを含んでいるものとする。なお、指装着型のウェアラブル・インタフェースを用いたジェスチャ入力を用いてもよい。
【００６３】
図４は、操作パネルの一例を示す図である。図４に示されるように、操作パネル５０は、表示部５１と、操作部５３として、ファクシミリを送受信するファクシミリモードにＭＦＰ１００を遷移させるためのファックスキー６１と、プリント処理を実行するためのプリントモードにＭＦＰ１００を遷移させるためのプリンタキー６２と、コピー処理を実行するためのコピーモードにＭＦＰ１００を遷移させるためのコピーキー６３と、スキャン処理を実行するためのスキャンモードにＭＦＰ１００を遷移させるためのスキャンキー６４と、印字処理を実行するための印字モードにＭＦＰ１００を遷移させるための印字キー６５と、特別機能キー８１と、両面コピーキー８２と、ソータ／ステープルキー８３と、設定確認キー８４と、操作ガイドキー８５と、表示部５１に表示されるカーソルを上に移動させる指示を入力するための上キー８６と、表示部５１に表示されるカーソルを下に移動させる指示を入力するための下キー８７と、通信状況確認キー８８と、テンキー９１と、割り込みキー９２と、入力内容をキャンセルするためのクリアキー９３と、全解除キー９４と、スタートキー９５とを含む。
【００６４】
図５は、ＭＦＰ１００が備えるＣＰＵ１１１の機能の概要をＨＤＤ７５に記憶されるデータとともに示す機能ブロック図である。図５に示されるように、ＣＰＵ１１１は、電源ＯＮ／ＯＦＦ検出部１３３と、操作受付部（操作受付手段）１２１と、モード切換部１２３と、状態検出部１２５と、情報取得部１２７と、表示制御部（表示制御手段）１３１とを含む。
【００６５】
ＨＤＤ７５は、少なくとも画面情報１４３と、メッセージ情報１４５とを予め記憶するものである。画面情報１４３は、ユーザに指示入力を促すための画面の情報であり、複数の画面を含む。複数の画面は、後述する初期画面（設定画面）を少なくとも含む。初期画面は、ＭＦＰ１００が実行可能な複数の処理（ジョブ）を受け付けるための画面である。メッセージ情報１４５は、ＭＦＰ１００の状態を示す情報であり、複数のメッセージを含む。複数のメッセージは、例えば、「処理を実行中です。」のメッセージと、「しばらくお待ちください。」のメッセージと、「ウォーミングアップ中です。」のメッセージと、「データを消去しています。」のメッセージとを少なくとも含む。
【００６６】
電源ＯＮ／ＯＦＦ検出部１２３は、電源スイッチ６０がＯＮまたはＯＦＦになったことを検出するものである。電源ＯＮ／ＯＦＦ検出部１２３は、電源スイッチ６０がＯＮとなったことを検出すると、電源ＯＮが指示されたことを示す電源ＯＮ信号を、表示制御部１３１、および情報取得部１２７に出力する。また、電源ＯＮ／ＯＦＦ検出部１２３は、電源スイッチ６０がＯＦＦとなったことを検出すると、電源ＯＦＦが指示されたことを示す電源ＯＦＦ信号を、表示制御部１３１、および情報取得部１２７に出力する。
【００６７】
ＭＦＰ１００は、電源スイッチ６０がＯＮされることで、画像形成部３０を含む全体を画像動作実行可能な状態に立ち上げるウォーミングアップを開始する。ウォーミングアップにおいては、例えば、画像形成部３０が備える図示しない定着部を、トナー像を用紙上に定着させるのに十分な所定の温度にまで昇温させる処理や、画像濃度を調整するためのプロセスコントロール等が実施される。また、ＭＦＰ１００は、電源スイッチ６０がＯＦＦされることで、ＭＦＰ１００の動作を停止するための終了処理を実行し、その後、停止する。
【００６８】
情報取得部１２７は、ネットワークを介して環境情報を取得するものである。情報取得部１２７は、電源ＯＮ／ＯＦＦ検出部１２３から電源ＯＮ信号が入力されると、第１通信制御部７９、ＬＡＮ端子７２（図３参照）を介して、サーバ５（図１参照）にＭＦＰ１００の環境情報を要求する。サーバ５は、ＭＦＰ１００から環境情報が要求されると、ＭＦＰ１００の装置識別情報で特定される環境情報をＭＦＰ１００に送信し、情報取得部１２７は、ＬＡＮ端子７２、第１通信制御部７９を介してサーバ５からの環境情報を受信する。受信した環境情報はＨＤＤ７５に記憶される。これにより、本実施形態のＭＦＰ１００においては、ＨＤＤ７５に、電源スイッチ６０がＯＮするたびに、最新の環境情報１４１が記憶されることとなる。
【００６９】
環境情報１４１は、上述したように、当該ＭＦＰ１００が取得している環境情報の、マークやラベルの画像であるマーク・ラベル画像と、環境情報名称（種類の名称、文字列）とを含む。
【００７０】
図６に、環境情報１４１が記憶されているテーブルの内容を示す。図６の例では、グリーン購入法適合商品のマークと、エコマーク（登録商標）と、ＧＰＮデータベース掲載商品のマークと、国際エネルギースタープログラムのマーク（登録商標）と、カーボンフットプリントラベルと、ノルディックスワンマーク（登録商標）と、ブルーエンジェルラベルと、ＥＵＲｏＨＳ指令準拠ラベルと、エコリーフ環境ラベル…の各名称とマーク・ラベル画像とが、連番に対応つけて格納されている。なお、連番は、環境情報を表示する際の表示順を決定するものであり、連番に対する環境情報の対応付けを変えることで、表示順を変えることができる。
【００７１】
図５に戻って、操作受付部１２１は、ユーザが操作部５３を操作して指示入力すると、これを受け付けるものである。操作は、例えば、操作部５３が備える各種キー（操作キー）を指示する操作と、表示部５１上に設けられたタッチパネルを指示する操作とを含む。操作受付部１２１は、操作部５３による指示入力を受け付けると、指示入力がなされたことをモード切換部１２９および表示制御部１３１に出力する。
【００７２】
モード切換部１２９は、ＭＦＰ１００のモードを、ＭＦＰ１００の使用状況に応じて、省電力モード或いは動作を実行可能な状態である通常モードに切り換えるものである。通常モードでは、ＭＦＰ１００の全体に電力が供給されており、ＭＦＰ１００は、ユーザのスタートキー９５の押下にて、即刻、指定された機能の処理（スキャナ機能、コピー機能、ファクシミリ機能、メール機能、プリンタ機能等）を実行できる状態にある。一方、省電力モードは、通常モードよりもＭＦＰ１００が消費する電力が抑えられており、操作部５３、ＨＤＤ７５、ネットワークＩ／Ｆ７７、第１通信制御部７９、第２通信制御部７８およびＣＰＵ１１１等の、ＭＦＰ１００の一部に電力が供給されている状態である。ＭＦＰ１００は、ユーザにてスタートキー９５が押下されると、まずは通常モードへと復帰するための動作を行う。復帰動作には、例えば、温度が低下している画像形成部３０の図示しない定着部の温度を、トナー像を用紙上に定着することが可能な所定の温度にまで昇温させる処理などが含まれる。
【００７３】
モード切換部１２９は、ＭＦＰ１００が通常モードに設定されている状態では、ＭＦＰ１００が動作していない時間（放置されている時間）を計測しており、動作していない時間が所定の時間Ｔ１を経過すると、通常モードから省電力モードにモードを切り換える。一方、ＭＦＰ１００が省電力モードに設定されている状態では、操作受付部１２１から操作部５３が操作されたことを検知すると、省電力モードから通常モードにモードを切り換える。また、外部のＰＣ２００より印刷や、ファクシミリ送信が指示されたことを検知した場合にも、省電力モードから通常モードにモードを切り換える。
【００７４】
モード切換部１２３は、モードを切り換えると、モードを切り換えた方向（通常モードから省電力モードへの切り換えか、あるいはその逆であるか）を示すモード切換信号を、ＭＦＰ１００の画像形成部３０、原稿読取部２０、自動原稿搬送部１０、給紙部４０等に出力すると共に、表示制御部１３１にも出力する。
【００７５】
なお、ここでは、操作部５３に操作があったときにモード切換部１２９が省電力モードから通常モードにモードを切り換えるようにしたが、通常モードへの切り換えは、これに限定するものではない。例えば、原稿台カバーの開閉を検出する開閉センサをＭＦＰ１００に設けるようにし、ＭＦＰ１００が備える原稿台カバーが開けられたことを開閉センサが検出したときに、省電力モードから通常モードにモードを切り換えるようにしてもよいし、原稿トレイ１１に原稿がセットされたことを原稿検知センサが検知したときにモードを切り換えるようにしてもよい。
【００７６】
状態検出部１２５は、ＭＦＰ１００の画像形成部３０、原稿読取部２０、自動原稿搬送部１０、給紙部４０等の状態を検出して、選択された機能の処理を実施できるかどうか判断するものである。具体的には、選択された機能が、コピーやプリンタである場合は、画像形成部３０が画像の形成が可能な状態であるかどうかを検出する。画像の形成が可能な状態とは、具体的には、画像形成部３０が備える定着部が画像を定着させるのに十分な所定の温度に達した状態である。また、選択された機能がファクシミリやスキャナの場合は、原稿読取部２０が画像の読取が可能な状態であるかどうかを検出する。
【００７７】
状態検出部１２５は、電源スイッチ６０がＯＮされた時や、省電力モードから通常モードに切り換えられたときに、画像形成部３０や原稿読取部２０が、画像の形成や読み取りが可能な状態となったことを検出すると、動作可能信号を表示制御部１３１に出力する。
【００７８】
表示制御部１３１は、電源ＯＮ／ＯＦＦ検出部１２３からの電源ＯＮ信号、電源ＯＦＦ信号、モード切換部１２９からのモード切換信号に応じて、表示部５１に各種の情報を表示するものである。
【００７９】
表示制御部１３１は、電源ＯＮ／ＯＦＦ検出部１２３から電源ＯＮ信号が入力されると、環境情報とウォーミングアップ中であることを示すメッセージ情報とを含む画面を表示部５１に表示させる。以下、この画面をウォーミングアップ画面と称する。具体的には、ウォーミングアップ画面は、環境情報１４１の表示の仕方として、サムネイル表示することが予め設定されている場合は、マーク・ラベル画像の表示を含み、リスト表示することが予め設定されている場合は、環境情報の名称の表示を含む。さらに、マーク・ラベル画像の表示にあたり、表示すべきマーク・ラベル画像が複数ある場合において、サムネイル表示することが予め設定されている場合は、複数のマーク・ラベル画像のサムネイルを含む。また、環境情報の名称を表示するにあたり、表示すべき名称が複数ある場合において、リスト表示することが予め設定されている場合は、環境情報の名称のリストを含む。また、ウォーミングアップ画面は、メッセージ情報１４５に含まれる複数のメッセージのうちＭＦＰ１００がウォーミングアップ中であることを示すメッセージを含む。
【００８０】
図７は、ウォーミングアップ画面の一例を示す第１の図である。図８は、ウォーミングアップ画面の一例を示す第２の図である。図７および図８に示されるように、ウォーミングアップ画面１７０，１７０Ａそれぞれは、メッセージ表示領域１７１と、環境情報表示領域１７３とを含む。メッセージ表示領域１７１は、メッセージ情報１４５が表示される領域である。ここでは、ＭＦＰ１００がウォーミングアップ中であることを示す情報として、「ウォーミングアップ中です」のメッセージが表示される。環境情報表示領域１７３は、環境情報１４１が表示される領域である。マーク・ラベル画像を表示することが予め設定されている場合、図７に示されるように環境情報表示領域１７３には、複数のマーク・ラベル画像がサムネイル表示される。環境情報の名称を表示することが予め設定されている場合、図８に示されるように環境情報表示領域１７３には、複数の環境情報の名称がリスト表示される。
【００８１】
ＭＦＰ１００がウォーミングアップ中であることを示すウォーミングアップ画面１７０、１７０Ａは、ＭＦＰ１００の電源スイッチ６０が、ユーザにてＯＮされた場合に表示される。これにより、ＭＦＰ１００がウォーミングアップ中で、操作パネルを用いて指示入力ができず、ＭＦＰ１００のウォーミングアップ完了を待っているユーザに対して、ＭＦＰ１００は、ウォーミングアップ画面１７０，１７０Ａを用いて、当該ＭＦＰ１００が環境に対してどのようなことに配慮して製造されたかを知らせることができる。
【００８２】
しかも、ウォーミングアップ画面１７０，１７０Ａとは、本来、「ウォーミングアップ中です」といったメッセージが表示されるだけの画面であり、指示入力がなされる設定画面でもないので、メッセージ表示領域１７１に対して、環境情報表示領域１７３を広く確保することができ、ユーザに効果的にアピールすることができる。
【００８３】
これにより、ユーザによるＭＦＰ１００の使用を妨げないタイミングに表示部５１を利用して、環境情報をユーザに示して、当該ＭＦＰ１００が環境に配慮されて製造されたものであることを、アピールすることができる。
【００８４】
なお、ウォーミングアップ中であることを示すメッセージとともに環境情報１４１を表示するようにしたが、ウォーミングアップ中であることを示すメッセージを含む画面と環境情報１４１を含む画面とを生成するようにして、ウォーミングアップ中であることを示すメッセージを含む画面と環境情報１４１を含む画面とを交互に表示するようにしてもよい。
【００８５】
図５に戻って、表示制御部１３１は、電源スイッチ６０がＯＮになると、設定されている表示態様に応じてウォーミングアップ画面１７０，１７０Ａのいずれかを表示する。ここでは、ウォーミングアップ画面１７０を表示している場合を例に説明する。表示制御部１３１は、ウォーミングアップ画面１７０を表示している段階において、状態検出部１２５から動作可能信号が入力されると、ウォーミングアップ画面１７０の表示を終了し、初期画面を表示する。初期画面は、ＭＦＰ１００が実行可能な複数の処理を受け付けるための画面である。例えば、初期画面において、ＭＦＰ１００はファクシミリ、コピーおよびスキャン等の処理を受け付けることが可能である。また、初期画面は、エコビューボタン（エコビューアイコン）を含む。エコビューボタンは、環境情報を表示する指示と対応付けられている。
【００８６】
図９に、初期画面の一例を示す。図９に示されるように、初期画面１８０は、ＭＦＰ１００が実行可能な複数の処理それぞれを指示するための複数のボタンの一つとしてエコビューボタン１８１を含む。エコビューボタン１８１は、「エコビュー」の文字列が示されている。ユーザがエコビューボタン１８１を押下すると、表示態様選択画面が表示される。
【００８７】
具体的には、ユーザが初期画面１８０のエコビューボタン１８１を押下し、環境情報を表示する指示を操作受付部１２１が受け付けると、表示制御部１３１へとその指示が入力される。表示制御部１３１は、操作受付部１２１から環境情報を表示する指示が入力されると、表示態様選択画面を表示部５１に表示させる。表示態様選択画面は、環境情報を表示するにあたり、マーク・ラベル画像をサムネイルで表示するか、環境情報の名称をリストで表示するかの選択をユーザに促すための画面である。
【００８８】
図１０に、表示態様選択画面の一例を示す。図１０に示されるように表示態様選択画面１９０は、ボタン１９１と、ボタン１９３とを含む。ボタン１９１は、「リスト表示」の文字列を含み、ボタン１９３は、「サムネイル表示」の文字列を含む。ボタン１９１と、ボタン１９３とは排他的に選択が可能である。ユーザが、ボタン１９１およびボタン１９３のいずれかを選択することにより、選択された表示態様に対応する環境情報表示画面が表示される。
【００８９】
具体的には、ユーザが表示態様選択画面１９０に従って、サムネイル表示のボタン１９３、あるいはリスト表示のボタン１９１を押下し、環境情報の表示態様が指示入力され、操作受付部１２１がこれを受け付けると、表示制御部１３１へとその指示が入力される。表示制御部１３１は、環境情報の表示態様の指示が操作受付部１２１から入力されると、ＨＤＤ７５に記憶された環境情報１４１を抽出し、抽出した環境情報１４１に基づいて環境情報表示画面を表示部５１に表示させる。操作受付部１２１からサムネイル表示する指示が入力される場合、環境情報表示画面には、マーク・ラベル画像のサムネイルが含まれる。操作受付部１２１からリスト表示する指示が入力される場合、環境情報表示画面には、環境情報の名称のリストが含まれる。具体的には、マーク・ラベル画像のサムネイルを含む環境表示画面は、図７に示したウォーミングアップ画面１７０の環境情報表示領域１７３を含む画面であり、環境情報の名称のリストを含む環境情報表示画面は、図８に示したウォーミングアップ画面１７０Ａの環境情報表示領域１７３を含む画面である。
【００９０】
これにより、ユーザが初期画面１８０に従ってエコビューボタン１８１を押下することに応じて、環境情報表示画面が表示される。したがって、ユーザは、所望のタイミングで環境情報を確認することができる。
【００９１】
また、表示制御部１３１は、操作受付部１２１から環境情報を表示する指示が入力されると、指示が入力されてから計時を開始する。そして、表示制御部１３１は、計時を開始してから所定の時間Ｔ２が経過したか否かを判断する。表示制御部１３１は、計時を開始してから所定の時間Ｔ２が経過したならば、環境画面の表示を終了し、初期画面を表示部５１に表示するが、そうでなければ環境画面を表示したまま所定の時間Ｔ２が経過するまで待機する。したがって、ユーザの指示により環境画面が表示された場合、操作受付部１２１から環境情報を表示する指示が入力されてから所定の時間Ｔ２が経過すれば自動的に環境画面の表示を終了し、初期画面を表示するので、初期画面に戻るための操作をする手間を省くことができる。
【００９２】
なお、環境画面の表示の終了は、ユーザが前の画面に戻る指示を操作部５３に入力したときであってもよい。
【００９３】
さらに、表示制御部１３１は、モード切換部１２３からモード切換信号が入力され、ＭＦＰ１００のモードが、省電力モードから通常モードへと切り換えられると、環境情報と復帰動作中であることを示すメッセージ情報とを含む画面を表示部５１に表示させる。
【００９４】
復帰画面は、省電力モードから通常モードへの切り換えが指示された場合に、ＭＦＰ１００が復帰動作中であることを示すとともに、ＭＦＰ１００が環境に配慮した製品であることを示す画面である。
【００９５】
復帰画面も、ウォーミングアップ画面と同様に、予めサムネイル表示する設定がされている場合は、マーク・ラベル画像を含み、予めリスト表示する設定がされている場合、環境情報の名称を含む。また、復帰画面は、メッセージ情報１４５に含まれる複数のメッセージのうち復帰中であることを示すメッセージを含む。復帰中であることを示すメッセージは、例えば、「しばらくお待ちください」のメッセージである。
【００９６】
なお、復帰動作中であることを示すメッセージとともに環境情報１４１を表示するようにしたが、復帰動作中であることを示すメッセージを含む画面と環境情報１４１を含む画面とを生成するようにして、復帰動作中であることを示すメッセージを含む画面と環境情報１４１を含む画面とを交互に表示するようにしてもよい。
【００９７】
また、表示制御部１３１は、通常モードに設定されている場合に、状態検出部１２５から動作可能信号が入力されたか否かを判断する。表示制御部１３１は、状態検出部１２５から動作可能信号が入力されたならば表示部５１に表示している復帰画面の表示を終了し、初期画面１８０を表示するが、そうでなければ状態検出部１２５から動作可能信号が入力されるまで復帰画面を表示したまま待機する。
【００９８】
ＭＦＰ１００が復帰動作中であることを示す復帰画面は、ＭＦＰ１００が省電力モードから通常モードに切り換わったときに表示される。これにより、ＭＦＰ１００が復帰動作中で、操作パネルを用いて指示入力ができず、ＭＦＰ１００の復帰完了を待っているユーザに対して、ＭＦＰ１００は、復帰画面を用いて、当該ＭＦＰ１００が環境に対してどのようなことに配慮して製造されたかを知らせることができる。
【００９９】
しかも、復帰画面とは、本来、「しばらくお待ち下さい」といったメッセージが表示されるだけの画面であり、指示入力がなされる設定画面でもないので、メッセージを表示するための領域に対して、マーク・ラベル画像のサムネイルまたは環境情報の名称のリストを表示するための領域を広く確保することができ、ユーザに効果的にアピールすることができる。
【０１００】
これにより、ユーザによるＭＦＰ１００の使用を妨げないタイミングに表示部５１を利用して、環境情報をユーザに示して、当該ＭＦＰ１００が環境に配慮されて製造されたものであることを、アピールすることができる。
【０１０１】
図１１は、画像表示処理の流れの一例を示すフローチャートである。画像表示処理は、ＣＰＵ１１１がＲＯＭまたはＨＤＤに記憶された画像表示プログラムを実行することによりＣＰＵ１１１により実行される処理である。図１１に示されるように、ＣＰＵ１１１は、電源スイッチ６０の電源がＯＮになったこと検出すると（ステップＳ１でＹＥＳ）、処理をステップＳ２に進める。ＭＦＰ１００は、電源スイッチ６０がＯＮになるとウォーミングアップを開始する。
【０１０２】
次のステップＳ２においては、ＬＡＮ端子７２を介して環境情報をサーバ５に要求する。サーバ５は、ＭＦＰ１００の装置識別情報で特定される環境情報をＬＡＮ端子７２を介して第１通信制御部７９に送信する。ＣＰＵ１１１は、第１通信制御部７９が受信した環境情報を取得し、取得した環境情報をＨＤＤ７５に記憶する。
【０１０３】
次のステップＳ３においては、ステップＳ２において取得した環境情報とＨＤＤ７５に記憶されたメッセージ情報１４５とを含むウォーミングアップ画面１７０，１７０Ａのいずれかを表示部５１に表示する。予めサムネイル表示する設定がされている場合、ウォーミングアップ画面１７０が表示され、予めリスト表示する設定がされている場合、ウォーミングアップ画面１７０Ａが表示される。ここでは、予めサムネイル表示する設定がされている場合を例に説明する。
【０１０４】
次のステップＳ４においては、ウォーミングアップが完了したか否かを判断する。ウォーミングアップが完了したことを検出すると（ステップＳ４でＹＥＳ）、処理をステップＳ５に進める。
【０１０５】
ステップＳ５においては、ステップＳ４において表示していたウォーミングアップ画面１７０の表示を終了し、図９に示される初期画面１８０を表示部５１に表示する。これにより、ユーザによるＭＦＰ１００の使用を妨げないタイミングで環境情報をユーザに示すことができる。
【０１０６】
次のステップＳ６においては、モード切換えがあったか否かを判断する。通常モードから省電力モードに切り換わったならば処理をステップＳ７に進めるが、そうでなければ処理をステップＳ１１に進める。
【０１０７】
ステップＳ７においては、省電力用画面を表示部５１に表示させる。または、表示部５１の表示をＯＦＦにする。
【０１０８】
次のステップＳ８においては、操作部５３を用いて操作を受け付けたか否か、或いは、外部からの動作指示を受けたかどうかを判断する。ここで、操作部５３を用いての操作を受け付けた、或いは、外部からの動作指示を受けると、処理をステップＳ９に進める。ＭＦＰ１００は、操作部５３が操作を受け付けた、或いは、外部からの動作指示を受けると、復帰動作を開始する。
【０１０９】
ステップＳ９においては、復帰画面を表示し、処理をステップＳ１０に進める。ステップＳ１０においては、復帰が完了したか否かを判断する。復帰が完了したと判断すると（ステップＳ１０でＹＥＳ）、処理をステップＳ５に戻す。
【０１１０】
ステップＳ１１においては、操作部５３を用いて操作を受け付けたか否か、或いは、外部からの動作指示を受けたかどうかを判断する。ここで、操作部５３を用いて操作を受け付けた、或いは、外部からの動作指示を受けたならば処理をステップＳ１２に進めるが、そうでなければ処理をステップＳ６に戻す。
【０１１１】
ステップＳ１２においては、ステップＳ１１において受け付けた操作または外部入力に対応する画面を表示する。表示される画面は、少なくとも表示態様選択画面１９０を含む。ステップＳ１２についての詳細は後述する。
【０１１２】
ステップＳ１３においては、ステップＳ１２において表示した画面の表示を終了するか否かを判断する。操作部５３に画面の表示を終了する指示が入力されると、処理をステップＳ５に戻す。
【０１１３】
図１２は、表示態様選択処理の流れの一例を示すフローチャートである。表示態様選択処理は、図１１に示す画像表示処理のステップＳ１１においてエコビューボタン１８１が押下されることを条件に、ステップＳ１２において実行される処理である。図１２に示されるように、ステップＳ２１においては、図１０に示される表示態様選択画面１９０を表示し、処理をステップＳ２２に進める。
【０１１４】
ステップＳ２２においては、ステップＳ２において記憶された環境情報１４１をＨＤＤ７５から抽出し、処理をステップＳ２３に進める。
【０１１５】
ステップＳ２３においては、ステップＳ２１において表示された表示態様選択画面１９０において、リスト表示およびサムネイル表示のうちのいずれが選択されたか否かを判断する。リスト表示が選択されたならば処理をステップＳ２４に進めるが、サムネイル表示が選択されたならば処理をステップＳ２５に進める。
【０１１６】
ステップＳ２４においては、ステップＳ２２において抽出した環境情報１４１に含まれる環境情報名称のリストを含む環境情報画面を表示し、処理を画像表示処理に戻す。
【０１１７】
ステップＳ２５においては、ステップＳ２２において抽出した環境情報１４１に含まれるマーク・ラベル画像のサムネイルを含む環境情報画面を表示し、処理を画像表示処理に戻す。
【０１１８】
環境情報画面は、ユーザが初期画面１８０に従ってエコビューボタン１８１を押下することにより表示される。したがって、ユーザは、所望のタイミングで環境情報１４１を確認することができる。
＜変形例＞
本実施の形態においては、ＭＦＰ１００が備える操作パネル５０は、複数のキーを備えるのに十分な面積を有するものであった。変形例における操作パネル５０Ａは、操作パネル５０よりも面積を小さくしたものである。このため、変形例における操作パネル５０Ａに備えることができるハードウエアキーの数には限りがある。
【０１１９】
図１３は、変形例における操作パネルの一例を示す図である。図１３に示されるように、操作パネル５０Ａが図４に示した操作パネル５０と異なる点は、操作部５３が操作部５３Ａに変更された点、操作部５３と同一平面上に設けられた表示部５１が削除された点、表示パネル５２が追加された点である。また、操作部５３Ａが操作部５３と異なる点は、ファックスキー６１、プリンタキー６２、コピーキー６３、スキャンキー６４、印字キー６５、特別機能キー８１、両面コピーキー８２、ソータ／ステープルキー８３、設定確認キー８４、操作ガイドキー８５、通信状況確認キー８８、割り込みキー９２および全解除キー９４が削除された点、メニューキー７０Ａが追加された点である。その他の構成は、図４に示した操作パネル５０の構成と同じであるので、ここでは詳細な説明を繰り返さない。
【０１２０】
表示パネル５２と操作部５３Ａとは、ヒンジ機構で回転可能に連結され、表示パネル５２と操作部５３Ａとは開閉自在である。図１３（ａ）は、表示パネル５２が開状態であるときの図である。図１３（ｂ）は、表示パネル５２が閉状態であるときの図である。図１３（ａ）および（ｂ）に示されるように、表示パネル５２は、閉状態のときにテンキー９１が配置された面と向かい合う面に表示部５１Ａを含む。表示部５１Ａは、表示部５１よりも面積が小さい。このため、画面を表示するための領域が小さい。また、表示パネル５２は、その右側面にエコビューキー９７を備える。エコビューキー９７は、表示パネル５２が開状態のときに操作可能になる。したがって、テンキー９１が配置された面にハードウエアキーを設けるための十分な面積が確保できない場合であっても環境情報の表示を指示するためのハードウエアキーを設けることができる。
【０１２１】
なお、エコビューキー９７が備えられる位置は、表示パネル５２の右側面に限定するものではない。ユーザが操作しやすい位置であれば、表示パネル５２の左側面であってもよいし、外側面であってもよい。すなわち、エコビューキー９７を外周部に設ければよい。
【０１２２】
メニューキー７０Ａは、メニュー画面を表示する指示を入力するためのキーである。メニュー画面は、ＭＦＰ１００が実行可能な複数の処理それぞれの名称が示された複数のソフトウェアキーを含む。複数のソフトウェアキーは、例えば、ファクシミリキー、コピーキー、スキャンキー等である。ユーザがメニューキー７０Ａを押下し、上キー８６および下キー８７を操作することにより、例えば、ファクシミリ、コピーおよびスキャンのいずれかの処理を選択することが可能である。
【０１２３】
エコビューキー９７は、ＭＦＰ１００に関する環境情報の表示を指示するためのキーである。ユーザが表示パネル５２を開状態にし、エコビューキー９７を押下すると、環境画面が表示部５１Ａに表示される。
【０１２４】
なお、本実施の形態におけるＭＦＰ１００においては、ＭＦＰ１００に初期画面１８０を表示するようにしたが、ネットワーク７を介してＭＦＰ１００と通信することが可能なＰＣ２００に初期画面１８０を表示させるようにしてもよい。この場合、ユーザが初期画面１８０に従って、ＰＣ２００に備える操作部に環境情報を表示させる指示を入力することにより環境情報画面を表示させるようにしてもよい。
【０１２５】
また、本実施の形態においては、ＭＦＰ１００が電源ＯＮとなることに応じてサーバ５に環境情報を要求し、サーバ５から受信した環境情報をＨＤＤ７５に記憶させるようにしたが、予め環境情報１４１をＨＤＤ７５に記憶するようにしてもよい。
【０１２６】
また、予め環境情報１４１をＵＳＢメモリやメモリカード等に記憶させ、それらメモリをＭＦＰ１００に装着した際にその装着を検出する検出装置で検出した場合にメモリから読み出して環境情報画面を表示してもよい。
【０１２７】
また、ＭＦＰ１００がコピーモード、スキャンモード、ファクシミリモード、プリンタモードまたは印字モードに遷移するときに環境情報画面を表示するようにしてもよいし、コピーモード、スキャンモード、ファクシミリモード、プリンタモードまたは印字モードが終了するときに環境情報画面を表示するようにしてもよい。例えば、メッセージ情報１４５に含まれるメッセージのうち「データを消去しています」というメッセージは、コピーモード、スキャンモード、ファクシミリモード、プリンタモードまたは印字モードが終了するときに表示されるメッセージである。コピーモード、スキャンモード、ファクシミリモード、プリンタモードまたは印字モードが終了するときに、「データを消去しています」のメッセージとともに環境情報画面を表示するようにすればよい。また、「データを消去しています」のメッセージと交互に環境情報画面を表示させるようにしてもよい。
【０１２８】
ＭＦＰ１００が備える手差しトレイに重量センサを設けるようにし、ＭＦＰ１００に備えらた手差しトレイに用紙がのせられたことを重量センサが検出した場合に、表示されている設定画面（初期画面）に代えて環境情報画面を表示するようにしてもよいし、設定画面（初期画面）と環境情報画面とを交互に表示するようにしてもよい。この場合、環境情報画面は、操作パネル５０に備えられた各種キーが押下されるまで表示される。
【０１２９】
さらに、給紙トレイの開閉を検出する開閉センサを設けるようにし、ＭＦＰ１００に設けられた給紙トレイが開閉されたことを開閉センサが検出するときに、表示されている設定画面（初期画面）に代えて環境情報画面を表示するようにしてもよいし、設定画面（初期画面）と環境情報画面とを交互に表示するようにしてもよい。
【０１３０】
本発明は、他にも例えば環境情報表示画面を表示できる民生用機器（映像・音響・通信などに関連した電子機器や装置において、一般消費者による使用・一般家庭での使用を目的としていること、または、そのことを前提に開発・設計された製品・規格を指す）や業務用機器（法人(企業や学校、官公庁)など、一般家庭以外の用途を前提として開発された製品））にも適応できる。
【０１３１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３２】
最後に、ＭＦＰ１００の各ブロック、特に操作受付部１２１、モード切換部１２３、状態検出部１２５、情報取得部１２７、表示制御部１３１および電源ＯＮ／ＯＦＦ検出部１３３は、ハードウェアロジックによって構成してもよい。
【０１３３】
また、ＭＦＰ１００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【符号の説明】
【０１３４】
１  表示処理システム
３  インターネット
５  サーバ
７  ネットワーク
１０  自動原稿搬送部（ＡＤＦ）
１１  原稿トレイ
２０  原稿読取部
３０  画像形成部
４０  給紙部
４１  大容量カセット
５０，５０Ａ  操作パネル
５１，５１Ａ  表示部（表示部）
５２  表示パネル
５３，５３Ａ  操作部（操作部）
６０  電源スイッチ
７１  ＲＯＭ
７３  ＲＡＭ
７５  ハードディスクドライブ（ＨＤＤ）
７９  第１通信制御部
１００  ＭＦＰ
１１１  ＣＰＵ
１２１  操作受付部（操作受付手段）
１２３  電源ＯＮ／ＯＦＦ検出部（電源ＯＮ／ＯＦＦ検出手段）
１２５  状態検出部
１２７  情報取得部
１２９  モード切換部
１３１  表示制御部（表示制御手段）
２００  ＰＣ
【図１】
0005436406.tif 000002
【図２】
0005436406.tif 000003
【図３】
0005436406.tif 000004
【図４】
0005436406.tif 000005
【図５】
0005436406.tif 000006
【図６】
0005436406.tif 000007
【図７】
0005436406.tif 000008
【図８】
0005436406.tif 000009
【図９】
0005436406.tif 000010
【図１０】
0005436406.tif 000011
【図１１】
0005436406.tif 000012
【図１２】
0005436406.tif 000013
【図１３】
0005436406.tif 000014